(57)【要約】【課題】ドラム式洗濯機において、洗濯物を撹拌するためのバッフルを改善することにより、洗濯物の傷みを抑えつつ、洗浄性能の向上を実現する。【解決手段】洗濯物を撹拌するためのバッフルは、一方の側面部に凹凸面２１を備え、他方の側面部と上面部にそれぞれ通水孔２２を備えることにより、洗濯物がドラム５の回転によりバッフル７に撹拌される際に、凹凸面２１の側面で撹拌される際は、機械力向上を実現し、通水孔２２面側で撹拌される際は、洗濯物の、水面から上方に出た部分に水がかかって汚れが流し落とされやすくなるものであり、２つの洗浄方式により機械力の向上による洗濯物の傷みを抑えつつ、洗浄性能の向上を実現することができるものであり、バッフル７は、洗濯物の種類によりドラム５の左右撹拌割合を変えて、正逆反転させることにより、洗濯物に適した洗浄方式で洗濯を行うことができる。【選択図】図１
2020065623.tif 000002
【特許請求の範囲】
【請求項１】
本体と、前記本体内に設けた受筒と、前記受筒内部に略水平方向に回転自在に支持され、洗濯物を収容するドラムと、前記ドラム内の内周面に設けられた、洗濯物を撹拌するためのバッフルとを備えたドラム式洗濯機において、前記バッフルは、断面略台形状に形成され、一側面部に前記バッフルの内部空間に連通する複数の通水孔を形成したドラム式洗濯機。
【請求項２】
前記バッフルの他方の側面部に凹凸を形成した請求項１に記載のドラム式洗濯機。
【請求項３】
前記バッフルの上面部に前記バッフルの内部空間に連通する複数の通水孔を形成した請求項１または２に記載のドラム式洗濯機。
【請求項４】
前記ドラム内に投入された洗濯物の布質を検知する布質検知手段を備え、洗い行程にて、布質検知手段で検知した洗濯物の布質に応じて、ドラムの左右回転時間の割合を設定する請求項１から３のいずれか１項に記載のドラム式洗濯機。
【発明の詳細な説明】
【技術分野】
【０００１】
本発明は、ドラム内に収容された洗濯物を撹拌するバッフルを有するドラム式洗濯機に関するものである。
【背景技術】
【０００２】
従来、この種のドラム式洗濯機は、水平方向に回転自在に支持され、洗濯物を収容するドラムと、ドラムの外側を囲む受筒を有している。受筒内に所定量の水を貯めた状態でドラムを回転させることにより、ドラム内の洗濯物をドラム内周面に備えられた略山形のバッフルによって持ち上げ、ある程度の高さから水面に向けて自然落下させる、たたき洗いを繰り返し行う。例えばバッフル頂上部にドラム内周面側に窪む凹面を形成することにより、機械力向上による洗浄性能の向上を実現している（例えば、特許文献１参照）。
【先行技術文献】
【特許文献】
【０００３】
【特許文献１】特開２００９−２２６８８号公報
【発明の概要】
【発明が解決しようとする課題】
【０００４】
しかしながら、前記従来の構成では、ドラム式洗濯機の本来の洗浄方式であるたたき洗いに加え、凹凸面とのこすれによるこすれ洗いも行われ、機械力が高まって洗浄性能が向上するが、特にウールなどのデリケートな衣類の場合には、衣類が傷みやすいという問題があった。
【０００５】
本発明は、上記従来の課題を解決するもので、洗濯物を撹拌するためのバッフルの形状改善により、洗濯物の傷みを抑えつつ、洗浄性能の向上を図るドラム式洗濯機を提供することを目的としている。
【課題を解決するための手段】
【０００６】
本発明は上記目的を達成するために、本発明のドラム式洗濯機は、本体と、前記本体内に設けた受筒と、前記受筒内部に略水平方向に回転自在に支持され、洗濯物を収容するドラムと、前記ドラム内の内周面に設けられた、洗濯物を撹拌するためのバッフルとを備えたドラム式洗濯機において、前記バッフルは、断面略台形状に形成され、一側面部に前記バッフルの内部空間に連通する複数の通水孔を形成したものである。
【０００７】
これにより、洗濯物の種類により洗濯物に適した洗浄方式で洗濯を行うことができる。
【発明の効果】
【０００８】
本発明のドラム式洗濯機は、機械力向上による洗濯物の傷みを抑えつつ洗浄性能の向上することができる。
【図面の簡単な説明】
【０００９】
【図１】本発明の実施の形態１におけるドラム式洗濯機の側断面図
【図２】同ドラム式洗濯機のブロック回路図
【図３】同ドラム式洗濯機のバッフルの左側面を表す斜視図
【図４】同ドラム式洗濯機のバッフルの右側面を表す斜視図
【図５】同ドラム式洗濯機のドラムおよびバッフルの正面図
【図６】同ドラム式洗濯機の動作を示すフローチャート
【発明を実施するための形態】
【００１０】
第１の発明は、本体と、前記本体内に設けた受筒と、前記受筒内部に略水平方向に回転自在に支持され、洗濯物を収容するドラムと、前記ドラム内の内周面に設けられた、洗濯物を撹拌するためのバッフルとを備えたドラム式洗濯機において、前記バッフルは、断面略台形状に形成され、一側面部に前記バッフルの内部空間に連通する複数の通水孔を形成したものである。
【００１１】
これにより、洗濯物の傷みを抑えつつ、洗浄性能の向上を実現することができる。
【００１２】
第２の発明は、特に、第１の発明の前記バッフルの他方の側面部に凹凸を形成したものである。
【００１３】
これにより、機械力を向上させて洗浄性能の向上させることができる。
【００１４】
第３の発明は、特に、第１または第２の発明の前記バッフルの上面部に前記バッフルの内部空間に連通する複数の通水孔を形成したものである。
【００１５】
これにより、洗濯物の傷みを抑えつつ、洗浄性能の向上を実現することができる。
【００１６】
第４の発明は、特に、第１から第３のいずれかの発明において、前記ドラム内に投入された洗濯物の布質を検知する布質検知手段を備え、洗い行程にて、布質検知手段で検知した洗濯物の布質に応じて、ドラムの左右回転時間の割合を設定する。
【００１７】
これにより、洗濯物の種類に応じて、洗浄性能を大きく高め、あるいは、洗濯物の傷みを抑えつつ洗浄性能を向上させることができる。
【００１８】
以下、本発明の実施の形態について、図面を参照しながら説明する。なお、この実施の形態によって本発明が限定されるものではない。
【００１９】
（実施の形態１）
図１は、本発明の実施の形態１におけるドラム式洗濯機の縦断面図、図２は、同ドラム式洗濯機のブロック回路図、図３は、同ドラム式洗濯機のバッフルの左側面を表す斜視図、図４は、同ドラム式洗濯機のバッフルの右側面を表す斜視図、図５は、同ドラム式洗濯機のドラムおよびバッフルの正面図である。
【００２０】
図１、図２において、本体１は、内部にダンパ２およびサスペンション３により受筒４を水平防振支持している。受筒４は、内部に、洗濯物を収容するドラム５を略水平方向に回転自在に支持している。ドラム５は、受筒４の中心に回転自在に軸支された回転軸８に固定されており、回転軸８他端にはドラムプーリ９が固定される。受筒４の底部にモータが取り付けられ、モータ１０の有するモータプーリ１１とドラムプーリ９はベルト１２により連結され、モータ１０の動力がドラム５に伝達され、ドラム５を回転させる。
【００２１】
ドラム５は、側面に多数の脱水孔６を有するとともに、内周面に洗濯物を撹拌するための横断面略台形状のバッフル７を複数個均等間隔置きに有している。本実施の形態では、バッフル７は３個形成している。
【００２２】
図３、図４、図５に示すように、バッフル７は、正面視で右側面部に凹凸面２１を形成している。また、左側面部と上面部には、それぞれバッフル７の内部空間に連通する複数個の側面通水孔２２と複数個の上面通水孔２３を形成している。
【００２３】
本体１の前面に衣類投入口２５を設け、衣類投入口２５を蓋体２４により開閉自在に覆い、蓋体２４を開くことにより、衣類投入口２５を通してドラム５内に洗濯物を出し入れする。
【００２４】
受筒４の上方位置には、洗剤を収容する洗剤投入容器１３と給水弁１４が配設され、洗剤投入容器１３と給水弁１４は、給水経路１５により連結されている。給水弁１４は、本体１外部からの水を、給水経路１５を介して洗剤投入容器１３に送るものであり、洗剤投入容器１３に送り込まれた水は、受筒４と洗剤と洗剤投入容器１３を連結している注水ホース１６を介して受筒４およびドラム５に送り込まれる。
【００２５】
受筒４の下部には、排水ポンプ１７が配設されており、排水ポンプ１７は、排水ホース１８により受筒４底面と連結され、受筒４内の水は排水経路１９を介して機外へと排水される。
【００２６】
本体１の前面上部には、使用者が運転コースを選択したりする操作表示部３０が配設され、操作表示部３０の入力設定手段３１から入力し、その入力情報を基に表示手段３２で表示して使用者に知らせる。
【００２７】
水位検知手段３５は、受筒４内の洗濯水の水位を検出する。
【００２８】
布量検知手段３３は、乾いた洗濯物をドラム５に入れた状態で、モータ１０を一定時間回転した時のモータ１０にかかる負荷トルクを入力電流として検知し、負荷トルクに基づいてドラム５内に投入された洗濯物の容量を判定する。
【００２９】
布質検知手段３４は、給水流量検知手段３６が検知した給水流量、布量検知手段３３が検知した布量、布量に応じた水位までの給水時間の情報を基に布質を検知する。
【００３０】
制御手段２０は、操作表示部３０で運転内容が設定されると、水位検知手段３５、布量検知手段３３、給水流量検知手段３６等からのデータを入力して、モータ１０、給水弁１４、排水ポンプ１７などを制御し、洗い、すすぎ、脱水などの各行程を逐次実行する。
【００３１】
また、制御手段２０は、計時手段３７を制御することによって、任意の時点からの経過時間を計測する。
【００３２】
以上のように構成したドラム式洗濯機洗濯機について、その動作、作用を説明する。
【００３３】
図６は、本発明の第１の実施の形態におけるドラム式洗濯機の動作を示すフローチャートである。
【００３４】
蓋体２４を開き、衣類投入口２５からドラム５内に洗濯物を投入（ステップＳ１）した後、操作表示部３０の入力設定手段３１にて電源スイッチ（図示せず）をオンし、スタートスイッチ（図示せず）を操作して運転をスタート（ステップＳ２）すると、短時間だけドラム５が回転して布量検知手段３３により乾いた状態の洗濯物の布量を検知（ステップＳ３）し、検知された布量は制御手段２０入力される。
【００３５】
布量が検知されると、表示手段３２に布量に応じた水位と洗剤量が表示される（ステップＳ４）。
【００３６】
そして、給水弁１４が動作して給水が開始されて、洗剤投入容器１３内に投入された洗
剤とともに受筒４内に水が給水され、給水流量検知手段３６による給水流量検知（ステップＳ５）と、計時手段３７による給水時間の計時が始まる。
【００３７】
そして、布量、給水流量、布量に応じた水位に達するまでの給水時間情報により、布質が検知される（ステップＳ７）。つまり、一般的な木綿類が多いのか、ウール類等のデリケート衣類が多いのかなどが検知される。
【００３８】
洗い行程では、ドラム５を正面視で右回転、左回転と交互に行って洗濯物を回転させ、洗浄を行っていくが、検出した布質が一般的な木綿類が多い場合（ステップＳ８のＮｏ）は、ドラム５の左回転時の撹拌割合を多く設定（ステップＳ９）し、デリケート衣類が多い場合（ステップＳ８のＹｅｓ）は、ドラム５の右回転時の撹拌割合を多く設定（ステップＳ１０）して、洗い攪拌行程を行う（ステップＳ１１）。
【００３９】
洗濯行程において、持ち上げられた洗濯物は、ある程度の高さまで持ち上げられ、持ち上げられた洗濯物は、ある程度の高さまで来ると、ドラム５下方の水面に向かって落下する。洗濯物は、水面にたたきつけられることによりたたき洗いが行われ、洗濯物の汚れが落ちる。
【００４０】
洗い行程にて、ドラム５が正面視で左回転時には、洗濯物を上方に持ち上げる際に、凹凸面２１で引っ掛けて洗濯物を持ち上げ、持ち上げられた洗濯物は、落下する際に、バッフル７の凹凸面２１とこすれてから落下する。
【００４１】
また、ドラム５が正面視で右回転時には、側面通水孔２２が設けられる左側面部で洗濯物を持ち上げて、ドラム５内の洗濯水をバッフル７内に取り込みつつ回転する。洗濯物が落下してバッフル７がドラム５上方まで回転したとき、バッフル７内に取り込んだ洗濯水を側面通水孔２２からドラム５下方へと放出し、落下した洗濯物にかける。
【００４２】
洗い行程において、布質判定において、一般的な木綿類が多いと判断して（ステップＳ８のＮｏ）、ドラム５の左回転時の撹拌割合を多く設定（ステップＳ９）した場合には、バッフル７の凹凸面２１と洗濯物のこすれが多く行われることになり、機械力がより向上するため、機械力を強めて汚れを落とすことができる。
【００４３】
布質判定において、デリケート衣類が多いと判断して（ステップＳ８のＹｅｓ）、ドラム５の右回転時の撹拌割合を多く設定（ステップＳ１０）した場合には、側面通水孔２２が形成された面で洗濯物を持ち上げる割合が多くなる。このため、ドラム５が、ドラム５内の洗濯水をバッフル７内に取り込みつつ回転し、バッフル７がドラム５上方まで回転した際に、バッフル７内に含んだ洗濯水を上面通水孔２３よりドラム５下方へ放出し、落下した洗濯物にかける割合が多くなる。
【００４４】
これにより、ドラム５内の洗濯水の循環が多くなると共に、洗濯物の水面から上方に出た部分に洗濯水がかかる量が多くなる。よって、より汚れが流し落とされやすくなり、凹凸面２１側での撹拌割合が減ることで、機械力を抑えて洗浄することとなり、洗濯物の傷みを抑制して優しく洗うことができる。
【００４５】
そして、洗い行程（ステップＳ１１）が終了すると、次行程へと移行する。
【００４６】
なお、バッフル７の凹凸面２１と側面通水孔２２を備える側面は、本実施の形態に限定されるものではなく、左右逆に設けても良いが、その場合は上述した左回転、右回転の方向が逆になる。
【００４７】
以上のように、本実施の形態においては、バッフル７は、正面視で右側面部に凹凸面２１、左側面部に複数個の側面通水孔２２を形成するともに、上面部に複数個の上面通水孔２３を形成する構成とすることにより、洗濯物の種類に応じて、洗浄性能を大きく高め、あるいは、洗濯物の傷みを抑えつつ洗浄性能を向上させることができる。
【００４８】
また、洗い行程にて、布質検知手段３４で検知した洗濯物の布質に応じて、ドラム５の左右回転時間の割合を設定する構成とすることにより、洗濯物の種類に応じて、洗浄性能を大きく高め、あるいは、洗濯物の傷みを抑えつつ洗浄性能を向上させることができる。
【産業上の利用可能性】
【００４９】
以上のように、本発明にかかるドラム式洗濯機は、バッフルの形状最適化とドラム回転を制御することにより、洗濯物の種類に応じて、洗浄性能を大きく高め、あるいは、洗濯物の傷みを抑えつつ洗浄性能を向上させることができるので、他の洗濯機などの用途に適用できる。
【符号の説明】
【００５０】
１  本体
４  受筒
５  ドラム
７  バッフル
１０  モータ
１４  給水弁
２０  制御手段
２１  凹凸面
２２  側面通水孔
２３  上面通水孔
３３  布量検知手段
３４  布質検知手段
３５  水位検知手段
３６  給水流量検知手段
３７  計時手段
【図１】
2020065623.tif 000003
【図２】
2020065623.tif 000004
【図３】
2020065623.tif 000005
【図４】
2020065623.tif 000006
【図５】
2020065623.tif 000007
【図６】
2020065623.tif 000008